(57)【特許請求の範囲】
【請求項１】
長尺状感光材料シートを巻芯の周囲に巻き付けてなる感光材料ロール、該感光材料ロールの巻芯の両端部のそれぞれに取り付けられた、感光材料ロールの半径と略同一の半径を有する円盤状遮光部材、該感光材料ロールの長尺状感光材料シートの先端部に接合されている、長さが該円盤状遮光部材の円周の二倍よりも長く、基本幅が該長尺状感光材料シートの幅と略同一であって、幅方向に突き出すように両側端部に沿って拡幅された、それぞれが該円盤状遮光部材の円周よりも長い長さを持つ二つもしくはそれ以上の拡幅部が設けられている熱収縮性遮光リーダからなり、該熱収縮性遮光リーダの拡幅部のうちの感光材料シートに近い側の一つが感光材料ロールの側面と円盤状遮光部材との間に挿入され、感光材料シートとは遠い側の拡幅部が円盤状遮光部材の外周縁部を超えて外側表面に熱収縮した状態で接触していることを特徴とする遮光性感光材料ロール。
【請求項２】
熱収縮性遮光リーダの感光材料シートとは遠い側の拡幅部が、主として長さ方向に熱収縮した状態で円盤状遮光部材の外周縁部を超えて外側表面に接触していることを特徴とする請求項１に記載の遮光性感光材料ロール。
【請求項３】
長尺状感光材料シートを巻芯の周囲に巻き付けてなる感光材料ロール、該感光材料ロールの巻芯の両端部のそれぞれに取り付けられた、感光材料ロールの半径と略同一の半径を有する円盤状遮光部材、該感光材料ロールの長尺状感光材料シートの先端部に接合されている、長さが該円盤状遮光部材の円周の二倍よりも長く、幅が該長尺状感光材料シートの幅と略同一の遮光シートの両側部のそれぞれに、幅方向に突き出すように両側端部に沿って、それぞれが該円盤状遮光部材の円周よりも長い長さを持つ二つもしくはそれ以上の熱収縮性遮光片が付設されてなる遮光リーダからなり、該熱収縮性遮光片のうちの感光材料シートに近い側の一つが感光材料ロールの側面と円盤状遮光部材との間に挿入され、感光材料シートとは遠い側の熱収縮性遮光片が円盤状遮光部材の外周縁部を超えて外側表面に熱収縮した状態で接触していることを特徴とする遮光性感光材料ロール。
【請求項４】
感光材料シートとは遠い側の熱収縮性遮光片が、主として長さ方向に熱収縮した状態で円盤状遮光部材の外周縁部を超えて外側表面に接触していることを特徴とする請求項３に記載の遮光性感光材料ロール。
【発明の詳細な説明】
【０００１】
【発明の属する技術分野】
本発明は、長尺状感光材料シートを巻芯の周囲に巻き付けてなる感光材料ロールの明室装填用の包装体に関する。
【０００２】
【従来の技術】
長尺な印画紙などの感光材料シートを巻芯の周りに巻き付けてなる感光材料ロールの巻芯の両端部に円盤状遮光部材（遮光フランジともいう）を取り付け、そして、その外周に遮光リーダを巻き付けた感光材料ロールの包装体（以下、遮光性感光材料ロールという）であって、遮光リーダを円盤状遮光部材の外側表面まで覆うように巻き付けた遮光性感光材料ロールは、遮光リーダと円盤状遮光部材との間に光が入り込む隙間ができにくいので、感光材料シートが保管、輸送中に感光しにくいことから、工業的に容易に製造することができるこの種の遮光性感光材料ロールが種々提案されている。
【０００３】
特開平８−４０４６８号公報では、感光材料ロールに遮光リーダを二周以上巻き付け、内側（一周目）に巻かれた遮光リーダの両側端部を感光材料ロールの側面と円盤状遮光部材との間に挿入させ、外側（二周目）に巻かれた遮光リーダの両側端部を円盤状遮光部材の外側面に接触した構造（この公報ではこのような構造をラビリンス構造と呼んでいる）の遮光性感光材料ロールが提案されている。このような構造の遮光性感光材料ロールは、幅が感光材料シートの幅よりも拡幅されている第一拡幅部（第一セグメント）、幅が感光材料シートの幅と略同一の拡幅部連結部（第二セグメント）、幅が感光材料シートの幅よりも拡幅されている第二拡幅部（第三セグメント）がこの順で設けられている遮光リーダを、引き伸ばしながら感光材料ロールに巻き付けて第一拡幅部の両側端部を感光材料ロールの側面に密着させ、次いで、感光材料ロールに円盤状遮光部材を取り付け、拡幅部連結部を感光材料ロールに巻き付けた後、第二拡幅部の両側端部を円盤遮光部材の側面に密着させることにより製造することができる。
【０００４】
上記公報に記載の遮光性感光材料ロールは、特に明室で感光材料ロールを写真処理装置などの関連装置に装填する際において、優れた遮光性能を発揮する。しかしながら、遮光リーダを引き伸ばしながら感光材料ロールの周囲に巻き付けるときに、遮光リーダが切れることがあったり、感光材料ロールの周端縁に損傷を与えることがあるという問題がある。また、特に遮光リーダの幅が広くなると、遮光リーダを均一に引き伸ばすことが難しくなるという問題がある。
【０００５】
【発明が解決しようとする課題】
本発明の目的は、感光材料ロールに遮光リーダを二周以上巻き付けてなり、内側に巻かれた遮光リーダの両側端部が感光材料ロールの側面と円盤状遮光部材との間に挿入され、外側に巻かれた遮光リーダの両側端部が円盤状遮光部材の外側面に接触している構造の遮光性感光材料ロールであって、遮光リーダを引き伸ばずに工業的に容易な手法で製造することができる遮光性感光材料ロールを提供することにある。
【０００６】
【課題を解決するための手段】
本発明は、長尺状感光材料シートを巻芯の周囲に巻き付けてなる感光材料ロール、該感光材料ロールの巻芯の両端部のそれぞれに取り付けられた、感光材料ロールの半径と略同一の半径を有する円盤状遮光部材、該感光材料ロールの長尺状感光材料シートの先端部に接合されている、長さが該円盤状遮光部材の円周の二倍よりも長く、基本幅が該長尺状感光材料シートの幅と略同一であって、幅方向に突き出すように両側端部に沿って拡幅された、それぞれが該円盤状遮光部材の円周よりも長い長さを持つ二つもしくはそれ以上の拡幅部が設けられている熱収縮性遮光リーダからなり、該熱収縮性遮光リーダの拡幅部のうちの感光材料シートに近い側の一つが感光材料ロールの側面と円盤状遮光部材との間に挿入され、感光材料シートとは遠い側の拡幅部が円盤状遮光部材の外周縁部を超えて外側表面に熱収縮した状態で接触していることを特徴とする遮光性感光材料ロールにある。
【０００７】
また、本発明は、長尺状感光材料シートを巻芯の周囲に巻き付けてなる感光材料ロール、該感光材料ロールの巻芯の両端部のそれぞれに取り付けられた、感光材料ロールの半径と略同一の半径を有する円盤状遮光部材、該感光材料ロールの長尺状感光材料シートの先端部に接合されている、長さが該円盤状遮光部材の円周の二倍よりも長く、幅が該長尺状感光材料シートの幅と略同一の遮光シートの両側部のそれぞれに、幅方向に突き出すように両側端部に沿って、それぞれが該円盤状遮光部材の円周よりも長い長さを持つ二つもしくはそれ以上の熱収縮性遮光片が付設されてなる遮光リーダからなり、該熱収縮性遮光片のうちの感光材料シートに近い側の一つが感光材料ロールの側面と円盤状遮光部材との間に挿入され、感光材料シートとは遠い側の熱収縮性遮光片が円盤状遮光部材の外周縁部を超えて外側表面に熱収縮した状態で接触していることを特徴とする遮光性感光材料ロールにもある。
【０００８】
本発明の遮光性感光材料ロールにおいて、感光材料シートに遠い側の熱収縮性遮光リーダの拡幅部あるいは熱収縮性遮光片は、主として長さ方向に熱収縮した状態で円盤状遮光部材の外周縁部を超えて外側表面に接触していることが好ましい。さらに、その円盤状遮光部材の外側表面に接触している拡幅部あるいは熱収縮性遮光片は、円盤状遮光部材の外側表面に熱融着されていても良い。また、本発明の遮光性感光材料ロールにおいては、熱収縮性遮光リーダの拡幅部あるいは熱収縮性遮光片のうちの感光材料シートに近い側の一つも、主として長さ方向に熱収縮した状態で感光材料ロールの側面と円盤遮光部材との間に挿入されていることが好ましい。
【０００９】
【発明の実施の形態】
本発明の遮光性感光材料ロールの一実施例について、添付図面の図１〜６を参照しながら説明する。添付図面の図１は、本発明に従い、幅方向に突き出すように両側端部に沿って拡幅された二つの拡幅部が設けられている熱収縮性遮光リーダを用いた遮光性感光材料ロールの一例の斜視図である。
【００１０】
本発明の遮光性感光材料ロールでは、感光材料ロールが円盤状遮光部材４と熱収縮性遮光リーダ５とにより遮光されている。熱収縮性遮光リーダ５は感光材料ロールに二周以上巻かれていて、その巻き終わりの末端部は粘着テープ６により巻き止めされている。
【００１１】
図２は、図１に示されている遮光性感光材料ロールの一例の分解斜視図である。遮光性感光材料ロールは、長尺状感光材料シート２を巻芯３の周りに巻き付けてなる感光材料ロール１、円盤状遮光部材４、二つの拡幅部５ｂ、５ｄが設けられている熱収縮性遮光リーダ５から構成されている。図２では、円盤状遮光部材４はリング状遮光シート４ａとフランジ部を備えた中空筒部材４ｂとからなり、リング状遮光シート４ａの円孔部に中空筒部材４ｂの筒部を貫通させて巻芯３の内壁に挿入して固定する構成の例が示されている。円盤状遮光部材４は、必ずしもリング状遮光シートと中空筒部材とから形成する必要はない。例えば、フランジ部と中空筒部材とが一体的になったフランジ付き中空筒部材を用いても良い。
【００１２】
図３は図２に示されている熱収縮性遮光リーダの正面図である。熱収縮性遮光リーダ５は、幅が基本幅、すなわち長尺状感光材料シートの幅と略同一である前端部５ａ、拡幅部連結部５ｃ、末端部５ｅと、幅が基本幅よりも広い第一拡幅部５ｂ、第二拡幅部５ｄとからなる。図３においては、前端部５ａ、拡幅部連結部５ｃ、末端部５ｅと、第一拡幅部５ｂ、第二拡幅部５ｄとの間にはテーパ部が設けられているが、テーパ部を設けなくても良い。第一拡幅部５ｂの長さＬ1及び第二拡幅部５ｄの長さＬ3は、感光材料ロールの円周の長さ以上であれば、それぞれ同一であっても異なっていても良い。拡幅連結部５ｂの長さＬ2には、特に制限はない。第一拡幅部の幅Ｗ1及び第二拡幅部の幅Ｗ2は基本幅Ｗ0より５〜２０ｍｍの範囲内で拡幅されていることが好ましいが、これに限定されるものではない。
【００１３】
図４は、図１に示されている遮光性感光材料ロールの部分断面図である。図４に示すように本発明の遮光性感光材料ロールでは、熱収縮性遮光リーダ５の感光材料シート２に近い側（内側）に巻き付けられた第一拡幅部５ｂが、その熱収縮により感光材料ロール１の側面と円盤状遮光部材４との間に挿入されている。そして、その外周には拡幅部連結部５ｃを挟んで、第二拡幅部５ｄが巻き付けられており、その第二拡幅部の両側端部は、その熱収縮により円盤状遮光部材４の外側表面に接触している。図４ではリング状遮光シート４ａは可撓性であり、熱収縮性遮光リーダの第一拡幅部の厚みによりわずかに折れ曲がっているが、リング状遮光シートは硬質性であっても良い。
【００１４】
図２及び３に示されている熱収縮性遮光リーダは、拡幅部連結部が第一拡幅部と第二拡幅部との間を切り抜いたような形で形成されているが、第一拡幅部と第二拡幅部との間に切り込みを入れた形で拡幅部連結部を形成することもできる。
【００１５】
図５は、本発明の遮光性感光材料ロールに用いることができる熱収縮性遮光リーダの別の一例を示す正面図である。図５には、拡幅部連結部が第一拡幅部５ｂと第二拡幅部５ｄと間に切り込み部７を形成された熱収縮性遮光リーダの例が示されている。切り込み部７の先端には、切り込みにより熱収縮性遮光リーダが切れたりしないように先端に切り抜き部８が設けられていることが好ましい。切り込み部の個数は、図５（ａ）に示すように複数個であっても、図５（ｂ）に示すように１個であっても良い。また、切り抜き部の形状は、図５（ａ）に示すように円形状もしくは図５（ｂ）に示すように楕円状であっても良い。
【００１６】
本発明の遮光性感光材料ロールに用いられる熱収縮性遮光リーダは遮光性を有し、主として長さ方向に熱収縮性を有するものであることが好ましい。熱収縮性遮光リーダの熱収縮率は、５０℃において、長さ方向で１％未満、幅方向で１％未満であり、かつ１００℃において、長さ方向で５〜３０％、幅方向で３０％未満であり、長さ方向の収縮率が、幅方向の収縮率よりも（絶対的な差として１％以上好ましくは３％さらに好ましくは５％以上）大きいものであることが好ましい。なお、ここでの熱収縮性遮光リーダの熱収縮率は、ＪＩＳ  Ｚ  １７０９−１９７６（収縮包装用フィルム）に規定されている方法により測定した値である。
【００１７】
熱収縮性遮光リーダの材料の例としては、長さ方向に大きな熱収縮性を有し、かつ長さ方向に引裂き可能な透明あるいは半透明のシュリンクフィルムと、熱収縮性をほとんどあるいは全く示さない遮光性フィルムとを貼り合わせた積層熱収縮性遮光フィルムを挙げることができるが、これに限定されるものではない。この積層熱収縮性遮光フィルムに使用できるシュリンクフィルムとしては、例えば、ファンシーラップ（商品名、グンゼ（株）製）のグレードがＴＨＳ、ＴＮＳ、ＴＡＳ、ＴＢＳ、ＴＲＳであるものを挙げることができる。また、積層熱収縮性遮光フィルムに使用できる遮光性フィルムとしては、例えば、カーボンブラックなどの顔料を混入させた低密度ポリエチレンフィルムなどのフィルムを挙げることができる。
【００１８】
図６は、図１に示されている感光材料ロールの製造工程の一例を表した図である。図６に示すように、遮光性感光材料ロールは以下に述べる四つの工程により製造することができる。
（１）感光材料ロール１の巻芯の両端部に、中空筒部材４ｂの筒部をリング状遮光シート４ａの円孔部を貫通させ、中空筒部材を感光材料ロールの巻芯の内壁に挿入し固定し、感光材料シート２の先端に熱収縮性遮光リーダ５を接合する工程（第一工程）。
（２）側面遮光板４のリング状遮光シート４ａの一部をその外側方向に折り曲げた状態で、熱収縮性遮光リーダ５を感光材料ロールに巻き付けながら、感光材料ロール１の端部に接触している第一拡幅部５ｂの表面に熱風を吹き付けて、その熱収縮により第一拡幅部５ｂを感光材料ロールの側面に接触させる工程（第二工程）。
（３）円盤状側面遮光板４の可撓性リング状遮光シート４ａを折り曲げずに元の状態に戻し、熱収縮性遮光リーダ５を感光材料ロールに巻き付けながら、リング状遮光シートの外周縁部に接触している第二拡幅部５ｄの表面に熱風を吹き付けて、その熱収縮により第二拡幅部５ｄを円盤状側面遮光部材の外側表面に接触させる工程（第三工程）。
（４）熱収縮性遮光リーダ５を粘着テープ６により封止する工程（第四工程）。
【００１９】
図６に示すように本発明の遮光性感光材料ロールでは、遮光リーダが熱収縮性を有することから拡幅部の熱収縮により、遮光リーダを引き伸ばさなくても、第一拡幅部を感光材料ロールの側面と円盤状遮光部材との間に挿入し、第二拡幅部を円盤状遮光部材の外周縁部を超えて外側表面に接触させることができる。従って、本発明の遮光性感光材料ロールでは、その製造中に遮光リーダが切れたり、感光材料ロールの周端縁に損傷を与えたりすることが少なくなる。なお、図６に示した例では、第一工程において、感光材料ロールの巻芯に円盤状遮光部材が取り付けているが、第一拡幅部を熱収縮により感光材料ロールの側面側に接触させた後、円盤状遮光部材を取り付けても良い。
【００２０】
図１〜６では、幅方向に突き出すように両側端部に沿って拡幅された二つの拡幅部が設けられている熱収縮性遮光リーダを用いた遮光性感光材料ロールについて説明したが、本発明の遮光性感光材料ロールにおいては、遮光リーダの全体が熱収縮性を示す必要はなく、第一拡幅部及び第二拡幅部のみが熱収縮性を有していれば良い。例えば、熱収縮性を特には示さない遮光シートに熱収縮性遮光片を付設して拡幅部を形成した遮光リーダを用いることもできる。このような遮光リーダを用いた場合の遮光性感光材料ロールの例を図７〜９を用いて説明する。
【００２１】
図７は、本発明に従い、遮光シートの両側部のそれぞれに、幅方向に突き出すように両側端部に沿って、二つの熱収縮性遮光片を付設してなる熱収縮性遮光リーダを用いた遮光性感光材料ロールの一例の斜視図である。図７に示されている遮光性感光材料ロールは、図１に示した遮光性感光材料ロールと同様に、遮光リーダが感光材料ロールに二周以上巻かれていて、その巻き終わりの末端部は粘着テープ６により巻き止めされている。
【００２２】
図８は図７に示されている遮光性感光材料ロールの一例の分解斜視図である。熱収縮性遮光リーダ５は幅が感光材料ロールの幅と略同一の幅の遮光性シート９と、相対的に長さ方向に大きな熱収縮性を示す熱収縮性遮光片１０ａ、１０ｂとからなる。熱収縮性遮光片は、そろぞれ遮光性シートの幅方向に突き出すように両側端部に沿って付設されており、それぞれが円盤状遮光部材の円周よりも長い長さを持つ。熱収縮性遮光片の遮光シートから突き出している部分の幅は、前記の部分的に拡幅された熱収縮性遮光リーダの場合と同様に５〜２０ｍｍの範囲内であることが好ましい。遮光シート９は、熱収縮性をほとんどあるいは全く有していないものであることが好ましく、カーボンブラックなどの顔料を混入したプラスチックフィルムを使用することができる。熱収縮性遮光片１０ａ、１０ｂは前記の熱収縮性遮光リーダと同様の材料のものを用いることができる。
【００２３】
図９は図７に示されている遮光性感光材料ロールの一例の部分断面図である。ここに示した本発明の遮光性感光材料ロールでは、熱収縮性遮光リーダ５の遮光シート９に付設された熱収縮性遮光片のうち、感光材料シート側に近い側に付設された熱収縮性遮光片１０ａが熱収縮した状態で感光材料ロール１の側面と円盤状遮光部材４（リング状遮光シート４ａ）との間に挿入されていて、感光材料シートに遠い側に付設された熱収縮性遮光片１０ｂは、その熱収縮した状態で円盤状遮光部材４の外側表面に接触している。
【００２４】
【発明の効果】
本発明の遮光性感光材料ロールは、遮光リーダの熱収縮により、内側に巻き付けた遮光リーダ両端部を感光材料ロールの側面と円盤状遮光部材との間に挿入させ、外側に巻き付けた遮光リーダ両端部を円盤状遮光部材の外側表面に接触させているので、遮光リーダを引き伸ばしながら感光材料ロールに巻き付ける必要がない。従って、本発明の遮光性感光材料ロールでは、その製造中に遮光リーダが切れたりするようなことが起こりにくい。また、本発明の遮光性感光材料ロールは、内側に巻かれた遮光リーダの両側端部が感光材料ロールの側面と円盤状遮光部材との間に挿入され、外側に巻かれた遮光リーダの両端端部が円盤状遮光部材の外側縁部を超えて外側表面に接触しているので、長期間にわたって感光材料シートを露光させることなく保存することができる。
【図面の簡単な説明】
【図１】本発明に従い、幅方向に突き出すように両側端部に沿って拡幅された二つの拡幅部が設けられている熱収縮性遮光リーダを用いた遮光性感光材料ロールの一例の斜視図である。
【図２】図１に示した遮光性感光材料ロールの一例の分解斜視図である。
【図３】図２に示した熱収縮性遮光リーダの一例の正面図である。
【図４】図１に示した遮光性感光材料ロールの一例の部分断面図である。
【図５】本発明の遮光性感光材料ロールに用いることができる熱収縮性遮光リーダの別の例を示す正面図である。
【図６】図１に示した遮光性感光材料ロールの一例の製造工程図である。
【図７】本発明に従い、遮光シートの両側部のそれぞれに、幅方向に突き出すように両側端部に沿って、二つの熱収縮性遮光片を付設してなる遮光リーダを用いた遮光性感光材料ロールの一例の斜視図である。
【図８】図７に示した遮光性感光材料ロールの一例の分解斜視図である。
【図９】図７に示した遮光性感光材料ロールの一例の部分断面図である。
【符号の説明】
１  感光材料ロール
２  長尺状感光材料シート
３  巻芯
４  円盤状遮光部材
４ａ  リング状遮光シート
４ｂ  中空筒部材
５  熱収縮性遮光リーダ
５ａ  前端部
５ｂ  第一拡幅部
５ｃ  拡幅部連結部
５ｄ  第二拡幅部
５ｅ  末端部
６  粘着テープ
７  切り込み
８  切り抜き部
９  遮光シート
１０  熱収縮性遮光片
【図１】
0004210416.tif 000002
【図２】
0004210416.tif 000003
【図３】
0004210416.tif 000004
【図４】
0004210416.tif 000005
【図５】
0004210416.tif 000006
【図６】
0004210416.tif 000007
【図７】
0004210416.tif 000008
【図８】
0004210416.tif 000009
【図９】
0004210416.tif 000010